(57)【特許請求の範囲】
【請求項１】
軟質プラスチックを成型してなるルアー本体と、当該ルアー本体から延在するひも状部材とを備え、前記ひも状部材が、平状のストリング基部と、当該ストリング基部の延在方向にほぼ直交する方向に延びる短起毛とを備えることを特徴とする釣り用ルアー。
【請求項２】
前記短起毛が前記平状のストリング基部全体に密生していることを特徴とする請求項１に記載の釣り用ルアー。
【請求項３】
前記ひも状部材が獣毛皮であることを特徴とする請求項１または２に記載の釣り用ルアー。
【請求項４】
軟質プラスチックを成型してなるルアー本体と、当該ルアー本体から延在する抵抗部材とを備え、前記抵抗部材が、線状の基部と、当該基部の延在方向にほぼ直交する方向に延びる細毛とを備えることを特徴とする釣り用ルアー。
【請求項５】
前記抵抗部材が鳥の羽毛であることを特徴とする請求項４に記載の釣り用ルアー。
【請求項６】
請求項１ないし５のいずれかに記載の釣り用ルアーにおいて、当該ルアーがワーム型ルアーであり、前記ひも状部材または抵抗部材がルアーの一方あるいは双方の端部に設けられていることを特徴とする釣り用ルアー。
【発明の詳細な説明】
【０００１】
【発明の属する技術分野】
本発明は釣り用ルアーに関し、特に、軟質性プラスチック樹脂でなるワームに毛皮片やフェザーを一体成形した釣り用ルアーに関する。
【０００２】
【従来の技術】
従来より、ゲームフィッシングにおいて各種の疑似餌が用いられており、そのうちフライ（毛鉤）と呼ばれるものがある。フライは釣り針に動物の毛や鳥の羽などを巻き付けて昆虫に見せかけるものであるが、フライをうまく作成するには細かい作業が必要であり扱いにくいという問題もあった。
【０００３】
また、軟質プラスチック樹脂をみみず等の環形動物に模して成形したワーム型ルアー（以下、適宜「ワーム」と称す）がある。このワームは、特にラージマウス・バス（通称ブラックバス）に対して広く用いられており、ルアー業界において一大カテゴリを構成している。ワーム型ルアーは流動化させた軟質性プラスチックを金型に流し込んで成型され、内部に食塩粒や色合いの異なる粒などが混入されることもある。
【０００４】
本願発明に関連する従来技術に、ワーム端部にティンセルを取り付けたものがある（例えば、特許文献１）。この技術では、極細の樹脂や金属片を房状にまとめたティンセルを、ワームの一方の端部に設けた空洞に強制的に挿入するようにしている。魚釣用ワームの先端にティンセルを取り付けることで、ティンセルの持つ集魚効果と相まってさらなる釣果を期待している。
【０００５】
【特許文献１】
特開平１０−２６２５００号公報
【０００６】
【発明が解決しようとする課題】
しかしながら、特許文献１のようにティンセルを取り付けたワームには以下のような問題がある。第１の問題は、極細の樹脂片等でなるティンセルの先端をワーム本体に取り付けると、ティンセルが水中で広がってその外観により集魚効果を得ることができるが、ティンセル自体には腰がなく、ワームの動き自体には何ら影響を与えるものではない。すなわち、軟質プラスチック樹脂からなるワームの動きをより自然にするという効果が得られるものではない。
【０００７】
第２の問題は、従来のティンセルは人工素材を機械で切断してなるため、水中におけるティンセルの動きが不自然であるというものである。人工的に製造したティンセルは各片の太さや長さが均一であるとともに、各片の外表面は直線的となる。このため水中での動きが画一的なものとなり、親水性に欠ける点も相まって不自然な見た目になるという問題がある。
【０００８】
第３の問題は、従来のティンセルは人工素材でなるため、魚が食いついたときに違和感を与えてしまうというものである。魚はルアーに食いついたときの食感に少しでも違和感を感じるとすぐさま吐き出してしまうため、ルアーの触感は可能な限り本物の餌（環形動物や毛虫など）に近いことが望ましい。従来のティンセルでも軟質樹脂を使用して触感を和らげる工夫がなされているが、本物の毛虫や小動物の体毛、鳥の羽などの触感を実現することはできない。
【０００９】
第４の問題は、従来のワームは沈むのが速く、水に投げ入れられたワームが水底まですぐに到達するということである。これは、魚が水底より上の層にいる場合に、この狙うべき層を短時間で通過してしまい、この層にいる魚へのアピールに欠けるという問題がある。したがって、ワームに浮力を付与したりワームの水抵抗を大きくしたりすると、投げ入れたワームがゆっくり沈むようになり、魚のいる層に長く留まるので好都合である。
【００１０】
本発明はこのような問題に鑑み、軟質性プラスチックからなるルアー本体に毛皮片や羽毛を一体成形することにより、ルアーに一層自然な動きを付与するとともに魚が食いついたときの不自然な食感を和らげた釣り用ルアーを提供することを目的とする。
【００１１】
【課題を解決するための手段】
この目的を達成するために、本願第１発明にかかる釣り用ルアーは、軟質プラスチックを成型してなるルアー本体と、当該ルアー本体から延在するひも状部材とを備え、前記ひも状部材が、平状のストリング基部と、当該ストリング基部の延在方向にほぼ直交する方向に延びる短起毛とを備えることを特徴とする。前記短起毛は前記平状のストリング基部全体に密生していることが有効である。また、前記ひも状部材は獣毛皮であることが望ましい。
【００１２】
本願第２発明にかかる釣り用ルアーは、軟質プラスチックを成型してなるルアー本体と、当該ルアー本体から延在する抵抗部材とを備え、前記抵抗部材が、線状の基部と、当該基部の延在方向にほぼ直交する方向に延びる細毛とを備えることを特徴とする。この抵抗部材は鳥の羽毛であることが有効である。
【００１３】
後に詳述するが、上記の構成により、キャスティング時にルアーがゆっくり水底まで沈み、その後もルアーの動きがより自然なものとなり、さらに、魚がくわえたときの違和感を緩和することができる。また、獣毛皮または鳥の羽毛を用いるとこの効果が一層顕著となる。
【００１４】
また、前記ルアー本体がワーム型ルアーであり、前記ひも状部材または抵抗部材がルアーの一方あるいは双方の端部に設けられていることが有効である。本願出願人の研究により、この構成が最も釣果があがることが判明している。
【００１５】
【発明の実施の形態】
本発明の実施の形態を、添付の図面を参照しながら以下に詳細に説明する。図１は、本発明の第１発明にかかる釣り用ルアー１の構成を示す側面図である。図１に示すように、釣り用ルアー１は、ミミズ等の環形動物を模したルアー本体１１と、当該ルアー本体１１の先端部分から外部に延在する毛皮片２１（ひも状部材）とを備えている。ルアー本体１１は、例えばフタル酸ジエチルヘキシル等の可塑剤を添加したプラスチックを成型してなり、適度な柔らかさと強度を併せ持つ。この軟質プラスチックには様々な色の顔料を添加することができ、さらに実施条件に応じて食塩粒や色合いの異なる粒が混入されてもよい。また、ルアー本体１１の表面には環形動物の外観を模して適宜の凹凸が形成されている。
【００１６】
毛皮片２１は、例えば兎皮や鹿皮など適宜な毛の長さと１ｍｍ程度の厚みとを有する動物の毛皮を、幅２〜５ｍｍ、長さ３０〜１００ｍｍのスリットに切断したものであり、その片側ほぼ全面に約１０ｍｍ〜３０ｍｍ程度の長さの毛が密生している。この毛皮片はワーム本体１１の成型前に適宜の色に着色され、ルアー本体１１の成型時に金型に配置することによってルアー本体１１と一体的に構成される。したがって、毛皮片２１の端部は約５ｍｍ程度がルアー本体１１の内部に保持され、確実に固着されている。
【００１７】
なお、毛皮片２１には上記のように獣毛皮を用いることが好ましいが、人工的に製造した毛皮様のひも状部材を用いるようにしてもよい。例えば、毛足の長いベルベットや絨毯などのように梳毛糸をパイル状に編んでパイル頂部をカットした織物や、基布に獣毛や獣毛に似た繊維を編み込んで毛皮様に構成した織物などを用いることができる。すなわち、平状のストリング基部と、当該ストリング基部の延在方向にほぼ直交する方向に延びる短起毛を備えるひも状部材であれば獣毛皮に限るものではない。
【００１８】
このように構成したワーム型ルアー１は、例えば図２に示すように用いられる。図２に示すように、使用時には、ルアー１は釣り糸３１の先端に緊結された釣り針３２に取り付けられる。釣り糸３１の先端部分には重り３３が配置され、キャスティングの際に必要な重さを付与するとともに、ルアー１がゆっくりと水底に沈むようにしている。ルアー１において釣り針３２は毛皮片２１のある端部と反対側の端部に取り付けられ、毛皮片２１のある端部は自由に浮動することができる。水に投げ込んだルアー１を小刻みに引くと、ルアー本体１１と毛皮片２１とで醸し出す微妙な動きによって飛躍的な集魚効果を達成することができる。
【００１９】
より具体的には、毛皮片２１には毛が密生しているため、毛の間に空気が保有されルアー１に浮力を付与し、図２に示すように後尾が持ち上がった状態が実現する。この状態でルアーを小刻みに引くと、環形動物が水底をジャンプしているような動きが得られる。また、毛皮片２１は所定長さのストリング基部２１ａと、当該ストリング基部２１ａから延びる短起毛２１ｂとからなり、比較的密集した状態で浮遊する。したがって、房状のティンセルをワーム先端に配置した従来例に比べると水の抵抗が大きくなり、その動きが優雅で自然なものとなる。さらに毛皮片２１は有意な幅と厚みによって適度なしなやかさを備えるとともに、その端部がルアー本体１１内部に直接保持されているため、毛皮片２１の動きがルアー本体１１に伝わり、ルアー本体１１の動きも自然で好ましいものになる。さらに、毛皮片２１のストリング基部２１ａ自体は扁平であり、その片側にのみ毛が生えているため、このことも毛皮片２１ひいてはルアー１全体に多彩な動きを付与する原因となる。また、毛皮片２１は水になじみ易いという性質もあり、これら総てが相乗的に作用することにより、水中において、より自然で好ましいアクションが実現する。
【００２０】
また、毛皮片２１の浮力と水抵抗力により水に投げ入れられたルアー１はゆっくり水底まで沈むため、魚のターゲット層に長く留まることになり、このときに魚が食いつく可能性が上昇する。さらに、毛皮片２１は、魚が食いついたときに違和感を覚えることがなく、すぐに吐き出されてしまい釣り損なうといった不具合が減少する。
【００２１】
図３は、本願第２発明にかかる釣り用ルアーの構成を示す立面図である。図３に示すように、本実施例のワーム型ルアー２は、ルアー本体１２と、フェザー２２（抵抗部材）とを備えている。フェザー２２は適宜の鳥の矢羽根に着色を施したものであり、ワームの成型に用いるキャビティ内に芯２２ａの基端部を配置することによりルアー本体１２と一体的に構成される。このようにルアー２を構成すると、第１実施例のルアー１に勝るとも劣らない自然で多彩な動きを実現することができる。さらに、フェザー２２は一層軽量で水に浮くためルアー２に大きな浮力を付与し、非常に強くしなやかであるため水抵抗が大きく、水に投げ入れたときにルアー２が多彩な動きをしながらゆっくり沈むこととなる。また、フェザー２２の芯２２ａが確実にルアー本体１２に保持されているため、抜け落ち等の問題もなくフェザー２２の動きが直接的にルアー本体１２に伝達される。なお、このフェザーも天然のものを用いるのが好ましいが、人工的に製造したものであってもよい。すなわち、線状の基部と、当該基部の延在方向にほぼ直交する方向に延びる細毛を備える抵抗部材であれば羽毛に限るものではない。
【００２２】
図４は、本発明の第３の実施例の構成を示す側面図である。図４（ａ）に示すように、本発明のワーム型ルアー３は、ルアー本体１３の両端部にそれぞれ毛皮片２３が設けられている。ルアー本体１３や各毛皮片２３の構成は、図１に示すルアー１のものとほぼ同様である。このルアー３は、ルアー本体１３の成型時に金型のキャビティの前後端にそれぞれ別個の毛皮片２３を配置することにより一体的に構成する。
【００２３】
このルアー３は、図４（ｂ）に示すように、水底より上の層で浮動させこの層にいる魚を誘引する目的で用いられる。すなわち、釣り糸３１の先端に重り３３を取り付けるとともに、釣り糸の途中に釣り針３２を設け、この釣り針３２を本実施例のワーム型ルアー３の中央部に取り付ける。釣り針３２を設ける位置は狙う層によって適宜決定することができる。図４（ｂ）に示す状態で釣り糸３１を小刻みに引くと、ルアー３が水底から離れた状態で、図４（ｃ）に示すような動きをする。
【００２４】
図４（ｃ）に示すように、釣り針３２によりルアー中央部が引っ張られると、水の抵抗により毛皮片２３を設けた両端部が取り残されるようにしてルアー本体１３が湾曲する（左から２番目の図）。軟質性プラスチックの弾力性により一拍遅れてルアー本体１３が元の姿勢に戻ろうとし（左から３番目の図）、さらに少し引っ張られることにより前述の動作が繰り返される。この一連の動作は、あたかもミミズ等の環形動物が水の中を泳ぐ様子に酷似している。本実施例のルアー３では毛皮片２３により大きな水抵抗や自然な動きが得られるので、高い集魚効果を得ることができる。なお、本実施例では毛皮片を用いているが、代わりに図２に示すようなフェザーを用いてもよく、また、天然素材でなく人工的に製造したものであってもよい。
【００２５】
図５は、本発明のさらなる実施例の構成を示す立面図である。図５に示すルアー４では、ルアー本体１４の一端に２本の毛皮片２４が設けられている。また、ルアー本体１４にはその中間部から両脇に延びる肢部１４ａが設けられている。この肢部１４ａは軟質プラスチックの成型キャビティをこのようにデザインすることによりルアー本体１４と一体的に成型される。肢部１４ａは水中で自在に浮動し、あたかも水に落ちた昆虫のような動きを体現する。さらに、２本の毛皮片２４が設けられているので、その自然な動きにより集魚効果が向上するとともに、魚がくわえたときの違和感をなくすことができる。このように、毛皮片やフェザーは複数本を適宜の位置に設けることができる。
【００２６】
本発明の幾つかの実施形態について詳細に説明したが、本発明の範囲は上記実施例に限られるものではない。例えば、上記実施例ではいずれもルアー本体の前後方向の端部から毛皮片やフェザーを延在させているが、図５に示す肢部１４ａのようにルアー本体の中間部から毛皮片やフェザーを延在させてもよい。例えば図５に示す肢部１４ａの代わりに毛皮片をルアー本体１４の両脇から延在させると、昆虫の羽のような感触を与えることができる。また、本発明においてルアー本体は軟質プラスチックを成型するものであればワーム型ルアーに限らず、例えば小魚型などにしてもよい。また、上記実施例で毛皮片はその片面にのみ毛が生えているが、例えば毛皮片を２枚貼り合わせる等して、両面から毛が延びるようにしてもよい。
【００２７】
【発明の効果】
以上、本発明の実施の形態について詳細に説明したが、本発明によれば、ルアー本体と毛皮片またはフェザーとが協働して醸し出す自然な動きによって飛躍的な釣果を達成することができる。すなわち、毛皮片やフェザーはルアーに浮力を付与するとともに水抵抗が大きいため、ルアーの動きが優雅で自然なものとなる。さらに適度な強さ、しなやかさを備えるとともに、その端部がルアー本体内部に直接保持されているため、ルアー本体の動きも自然で好ましいものになる。また、人工物に比して水になじみ易く、これら総てが相乗的に作用することにより、水中において、より自然で好ましいアクションが実現する。さらに、天然の毛皮やフェザーを用いることにより、魚が食いついたときの違和感を緩和することができる。
【図面の簡単な説明】
【図１】  本願第１実施例にかかるワーム型ルアーを示す側面図である。
【図２】  第１実施例にかかるワーム型ルアーの使用状態を示す図である。
【図３】  本願第２実施例にかかるワーム型ルアーを示す立面図である。
【図４】  本願第３実施例にかかるワーム型ルアーを示す図である。
【図５】  本願第４実施例にかかるルアーの構成を示す立面図である。
【符号の説明】
１〜４      釣り用ルアー
１１〜１４  ルアー本体
２１、２３、２４  毛皮片
２２        フェザー
【図１】
0003663425.tif 000002
【図２】
0003663425.tif 000003
【図３】
0003663425.tif 000004
【図４】
0003663425.tif 000005
【図５】
0003663425.tif 000006